(57)【特許請求の範囲】
【請求項１】
磁気ディスクにデータを書き込むための磁気ヘッドと、
書き込みデータを入力する入力端子と前記磁気ヘッドに接続された出力端子とを有し、前記磁気ヘッドに書き込みデータに応じた書き込み電流を供給するための書き込み回路と、
第１トランジスタを備え、第１トランジスタの出力電圧を、前記書き込みデータの信号を増幅するバッファ回路の動作点を決めるバイアス電圧として、前記書き込み回路に供給するバイアス供給回路と；第１トランジスタのベースの電圧変動によって過渡的に生じる第１トランジスタの出力電流を、該電圧変動を利用して自己に引き込むことで、前記バイアス電圧を低電圧に維持し、前記出力端子からの書き込み電流を遮断する一時遮断回路と；を有するバイアス回路と、を備えたことを特徴とする磁気記録装置。
【請求項２】
前記一時遮断回路は、前記第１トランジスタとベースを共有する第２トランジスタが出力する電流に応じて、前記第１トランジスタの出力電流を自己に引き込むカレントミラー回路を有することを特徴とする請求項１に記載の磁気記録装置。
【発明の詳細な説明】
【０００１】
【発明の属する技術分野】
本発明はフロッピーディスクドライブやハードディスクドライブ等の磁気記録装置に関する。
【０００２】
【従来の技術】
従来の磁気記録装置を説明する。図４は従来の磁気記録装置の書き込み回路の回路図である。書き込み回路はフロッピーディスクやハードディスク等の磁気ディスク（図示せず）にデータを書き込むための書き込み信号を増幅して磁気ヘッド２に書き込み電流Ｉ7又はＩ8を供給する。図４において、磁気ヘッド２の両端は書き込み回路の出力端子２４、２５に接続されている。磁気ヘッド２の中点は電源電圧Ｖｃｃに接続されている。２つの入力端子４０、４１に書き込み信号が入力される。
【０００３】
入力端子４０はＮＰＮ型トランジスタＱ１１のベースに接続されている。トランジスタＱ８のコレクタは電源電圧Ｖｃｃに接続されている。トランジスタＱ８のベースと電源電圧Ｖｃｃの間に定電流源回路４２が接続されている。定電流源回路４２は電源電圧ＶｃｃからトランジスタＱ８のベースに向かって電流Ｉ11を出力する。トランジスタＱ８のエミッタとグランドの間には抵抗Ｒ６が接続されている。トランジスタＱ８のベースとグランドの間に抵抗Ｒ５が接続されている。入力端子４１はＮＰＮ型トランジスタＱ８のベースに接続されている。
【０００４】
トランジスタＱ１１のコレクタは電源電圧Ｖｃｃに接続されている。トランジスタＱ１１のベースと電源電圧Ｖｃｃの間に定電流源回路４３が接続されている。定電流源回路４３はトランジスタＱ１１のベースに向かって電流Ｉ12を出力する。トランジスタＱ１１のベースとグランドの間に抵抗Ｒ９が接続されている。トランジスタＱ１１のエミッタとグランドの間には抵抗Ｒ８が接続されている。
【０００５】
トランジスタＱ８のエミッタ側はＮＰＮ型トランジスタＱ９のベースに接続されている。トランジスタＱ１１のエミッタ側はＮＰＮ型トランジスタＱ１０のベースに接続されている。トランジスタＱ９のエミッタとトランジスタＱ１０のエミッタは接続されており、その接続中点とグランドの間には定電流源回路２３が接続されている。定電流源回路２３は定電流Ｉ6を出力する。トランジスタＱ９のコレクタは出力端子２４に接続されている。トランジスタＱ１０のコレクタは出力端子２５に接続されている。
【０００６】
図５は定電流源回路４２の内部構成を示す回路図である。ＰＮＰ型トランジスタＱ３０のエミッタは抵抗Ｒ２０を介して電源電圧Ｖｃｃに接続されている。トランジスタＱ３０のコレクタは電流源５０に接続されている。電流源５０では電流Ｉ20が出力される。トランジスタＱ３０のベースはトランジスタＱ３０のコレクタとＰＮＰ型トランジスタＱ３１のベースに接続されている。トランジスタＱ３０、３１のベースとグランド間には寄生容量５１が存在している。トランジスタＱ３１のエミッタは抵抗Ｒ２１を介して電源電圧Ｖｃｃに接続されている。トランジスタＱ３１のコレクタは電流Ｉ11が出力される。
【０００７】
上記書き込み回路はデータの書き込みが可能なアクティブモードと、書き込み動作が停止する非アクティブモードをもつように、コントローラ７によって制御される。コントローラ７から出力される信号がＮチャネル型ＭＯＳトランジスタＱ１３、Ｑ１４のゲートに入力される。ＭＯＳトランジスタＱ１３、Ｑ１４のソースはそれぞれグランドに接続されている。ＭＯＳトランジスタＱ１３のドレインは入力端子４１に接続され、ＭＯＳトランジスタＱ１４のドレインは入力端子４０に接続されている。
【０００８】
非アクティブモードのときコントローラ７は書き込み回路に対しハイレベルの信号を出力する。これにより、ＭＯＳトランジスタＱ１３、Ｑ１４がＯＮする。これにより、トランジスタＱ８、Ｑ１１のベースにはグランド電圧が与えられるので、トランジスタＱ８、Ｑ１１がＯＦＦする。これにより、トランジスタＱ９、Ｑ１０のベースにはグランド電圧が与えられるので、トランジスタＱ９、Ｑ１０はＯＦＦする。したがって、書き込み回路は全体として動作せず、磁気ヘッド２に書き込み電流Ｉ7又はＩ8を供給しない。
【０００９】
一方、アクティブモードのときコントローラ７は書き込み回路にローレベルの信号を出力する。これにより、ＭＯＳトランジスタＱ１３、Ｑ１４はＯＦＦする。これにより、書き込み回路は入力端子４０、４１に入力される信号に連動して磁気ヘッド２に書き込み電流Ｉ7又はＩ8を供給することができる。
【００１０】
【発明が解決しようとする課題】
しかしながら、図４の回路では磁気記録装置における電源電圧Ｖｃｃを投入した直後に書き込み状態でないにもかかわらず磁気ヘッド２に書き込み電流が流れてしまうことがある。電源投入時、電流源５０はＯＦＦして電流Ｉ20が流れないが、寄生容量５１に一瞬流入する電流ＩｃがＰＮＰ型トランジスタＱ３０、Ｑ３１のベース電流となってトランジスタＱ３０、Ｑ３１が一瞬動作し、瞬間的に電流Ｉ11が流れる。この瞬間にコントローラ７が完全に立ち上がっていなければ、Ｎチャネル型ＭＯＳトランジスタＱ１３にハイレベルの信号を与えることができず、前記の瞬間的な電流Ｉ11をＭＯＳトランジスタＱ１３で吸収することができなくなる。このようになると、Ｑ８のベース電圧が一瞬上昇し、Ｑ８が動作状態となるため、出力端子２４に望ましくない書き込み電流が流れる。このように磁気ヘッド２に書き込み電流Ｉ7又はＩ8が流れる可能性がある。このような電流Ｉ7又はＩ8が流れると磁気ディスク（図示せず）にノイズが書き込まれることになる。したがって、本来的には、電源をＯＮしたときのような過渡期において磁気記録装置はこのような書き込み電流Ｉ7又はＩ8を停止させることが望ましい。
【００１１】
本発明は上記課題を解決するもので、電源をＯＮした時に、ノイズ発生の原因となる書き込み電流の発生を防止することのできる磁気記録装置を提供することを目的とする。
【００１２】
【課題を解決するための手段】
上記目的を達成するために、本発明の請求項１に係る磁気記録装置は、磁気ディスクにデータを書き込むための磁気ヘッドと、書き込みデータを入力する入力端子と前記磁気ヘッドに接続された出力端子とを有し、前記磁気ヘッドに書き込みデータに応じた書き込み電流を供給するための書き込み回路と、第１トランジスタを備え、第１トランジスタの出力電圧を、前記書き込みデータの信号を増幅するバッファ回路の動作点を決めるバイアス電圧として、前記書き込み回路に供給するバイアス供給回路と；第１トランジスタのベースの電圧変動によって過渡的に生じる第１トランジスタの出力電流を、該電圧変動を利用して自己に引き込むことで、前記バイアス電圧を低電圧に維持し、前記出力端子からの書き込み電流を遮断する一時遮断回路と；を有するバイアス回路と、を備えるようにしている。
【００１３】
このような構成によると、第１トランジスタのベースの電圧変動によって出力される過渡的電流は、該電圧変動を利用して一時遮断回路に引き込まれる。そのため、電源投入時に一時遮断回路により書き込み回路のバイアス電圧が抑えられるので、書き込みデータが無いにもかかわらず、磁気ヘッドに過渡電流が流れて書き込みが行われてしまうことを防止できる。従って電源投入後、バイアスが安定するまでの間に磁気ディスクへのノイズの書き込みを防止することができる。
【００１４】
また、本発明では上記構成において、前記一時遮断回路は、前記第１トランジスタとベースを共有する第２トランジスタが出力する電流に応じて、前記第１トランジスタの出力電流を自己に引き込むカレントミラー回路を有することとしてもよい。
【００１５】
このような構成によると、一時遮断回路の有するカレントミラー回路の作用により、第１トランジスタのベースの電圧変動によって出力される過渡的電流は、該電圧変動に応じて一時遮断回路に引き込まれることとなる。そのため、請求項１に係る発明の作用を容易に得ることができる。
【００２４】
【発明の実施の形態】
＜第１の実施形態＞
以下、本発明の第１の実施形態について説明する。図１は本発明の第１の実施形態である磁気記録装置のブロック図である。磁気ディスク１は例えばフロッピーディスクである。磁気ヘッド２は磁気ディスク１に記録されているデータの読み出しと磁気ディスク１にデータの書き込みを行う。
【００２５】
スピンドルモータ３は磁気ディスク１を回転させるためのモータである。ボイスコントロールモータ４は磁気ヘッド２のトラッキングを調整するためのモータである。リードライトプリアンプ５は磁気ヘッド２に接続されており、磁気ヘッド２で再生された再生信号を増幅する読み出し回路１１と、磁気ヘッド２によって磁気ディスク１にデータを記録するための書き込み信号を増幅する書き込み回路１２から成る。リードライトプリアンプ５には書き込み回路１２のバイアス電流を供給するバイアス回路２６（図２参照）が設けられている。
【００２６】
リードライトチャンネル回路６はプリアンプ５からの再生信号の誤り訂正等の処理と、プリアンプ５への書き込み信号を出力する。さらに、リードライトチャンネル回路６はＰＲＭＬ（Partial Response Maximum Likelihood）信号処理を行う。
【００２７】
コントローラ７はデジタル信号処理プロセッサ１３とフラッシュメモリ１４とサーボコントローラ１５とから成る。デジタル信号処理プロセッサ１３は磁気記録装置の読み出しや書き込みの動作の制御を行う。フラッシュメモリ１４は必ずしも磁気記録装置に設けられているものではないが、デジタル信号処理プロセッサ１３の制御により磁気ディスク１の欠陥アドレスを格納し、デジタル信号処理プロセッサ１３がその欠陥アドレスを読み出して磁気記録装置がそのアドレスにアクセスしないようにするために設けられている。
【００２８】
サーボコントローラ１５はあらかじめデジタル信号処理プロセッサ１３によって設定された動作に自動制御するもので、制御信号をドライバ８に出力する。ドライバ８はスピンドルモータ３を駆動するドライバと、ボイスコントロールモータ４を駆動するドライバが設けられている。コントローラ７はインターフェース９を介してパーソナルコンピュータ１０に接続されている。
【００２９】
次に、図２に基づいてリードライトプリアンプ５内の書き込み回路１２とバイアス回路２６の内部構成について説明する。書き込み回路１２は入力端子２１、２２に入力される信号の増幅を行い、出力端子２４、２５に接続されている磁気ヘッド２に電流Ｉ7又はＩ8を供給して磁気ディスク１（図１参照）にデータの書き込みを行う。磁気ヘッド２の中点は電源電圧Ｖｃｃに接続されている。入力端子２１、２２にはリードライトチャンネル回路６からの書き込み信号が入力される。図４の従来の書き込み回路と異なるのは、バイアス回路２６からのバイアス電圧ＶBが書き込み回路１２における定電流源４２、４３を構成するＮＰＮ型トランジスタＱ７、Ｑ１２のベースに入力されることである。
【００３０】
バイアス回路２６からのバイアス電圧ＶBが書き込み回路１２におけるＮＰＮ型トランジスタＱ７、Ｑ１２のベースに入力される。トランジスタＱ７のコレクタとトランジスタＱ１２のコレクタはともに電源電圧Ｖｃｃに接続されている。トランジスタＱ７のエミッタとグランドの間には抵抗Ｒ４と抵抗Ｒ５の直列回路が接続されている。抵抗Ｒ４と抵抗Ｒ５の接続中点Ｂは入力端子２１とＮＰＮ型トランジスタＱ８のベースに接続さている。トランジスタＱ１２のエミッタとグランドの間には抵抗Ｒ７と抵抗Ｒ９の直列回路が接続されている。抵抗Ｒ７と抵抗Ｒ９の接続中点Ｃは入力端子２２とＮＰＮ型トランジスタＱ１１のベースに接続されている。
【００３１】
トランジスタＱ８のコレクタは電源電圧Ｖｃｃに接続されている。トランジスタＱ８のエミッタとグランドの間には抵抗Ｒ６が接続されている。トランジスタＱ８のエミッタと抵抗Ｒ６の接続中点ＤはＮＰＮ型トランジスタＱ９のベースに接続されている。トランジスタＱ１１のコレクタは電源電圧Ｖｃｃに接続されている。トランジスタＱ１１のエミッタとグランドの間には抵抗Ｒ８が接続されている。トランジスタＱ１１のエミッタと抵抗Ｒ８の接続中点ＥはＮＰＮ型トランジスタＱ１０のベースに接続されている。
【００３２】
トランジスタＱ９のコレクタは出力端子２４に接続されている。トランジスタＱ１０のコレクタは出力端子２５に接続されている。トランジスタＱ９のエミッタとトランジスタＱ１０のエミッタは接続され、その接続中点とグランドの間には定電流源回路２３が接続されている。定電流源回路２３は定電流Ｉ6を出力する。
【００３３】
コントローラ７から入力される信号は書き込み回路１２において、２つのＮチャネル型ＭＯＳトランジスタＱ１３、Ｑ１４のゲートに入力される。ＭＯＳトランジスタＱ１３のドレインは入力端子２１に接続されている。トランジスタＱ１３のソースはグランドに接続されている。トランジスタＱ１４のドレインは入力端子２２に接続されている。トランジスタＱ１４のソースはグランドに接続されている。トランジスタＱ９、Ｑ１０と定電流源回路２３により差動増幅回路が構成され、トランジスタＱ９、Ｑ１０のベースに入力される信号を差動増幅する。これにより、書き込み回路１２は出力端子２４、２５に接続された磁気ヘッド２に書き込み電流Ｉ7又はＩ8を供給する。
【００３４】
抵抗Ｒ４、Ｒ５、Ｒ６とトランジスタＱ８はバッファ回路を構成している。このバッファ回路はバイアス電圧ＶBによって動作し、入力端子２１に入力される書き込み信号を増幅して差動増幅回路を構成するトランジスタＱ９のベースへ出力する。抵抗Ｒ７、Ｒ８、Ｒ９とトランジスタＱ１１はバッファ回路を構成している。このバッファ回路もバイアス電圧ＶBによって動作し、入力端子２２に入力される書き込み信号を増幅して差動増幅回路を構成するトランジスタＱ１０のベースへ出力する。
【００３５】
コントローラ７は書き込み回路１２の動作モードを制御する。アクティブモードのときコントローラ７がローレベルの信号を出力する。これにより、ＭＯＳトランジスタＱ１３、Ｑ１４はＯＦＦするので、トランジスタＱ８、Ｑ１１が動作状態となり書き込み回路１２は入力端子２１、２２に入力される書き込み信号の増幅を行い、磁気ディスク１（図１参照）へのデータを書き込む。
【００３６】
一方、非アクティブモードのときコントローラ７がハイレベルの信号を出力するので、ＭＯＳトランジスタＱ１３、Ｑ１４がＯＮし、トランジスタＱ８、Ｑ１１がＯＦＦする。そのため、トランジスタＱ９、Ｑ１０が動作せず、書き込み回路１２は磁気ヘッド２に書き込み電流を出力しない。このようにしてコントローラ７は磁気記録装置の非アクティブモード時にハイレベルの信号を出力してトランジスタＱ８〜Ｑ１１をＯＦＦしている。
【００３７】
バイアス回路２６において、ＰＮＰ型トランジスタＱ１のエミッタと電源電圧Ｖｃｃの間に抵抗Ｒ１が接続されている。トランジスタＱ１のコレクタとグランドの間には電流源回路２０が接続されている。トランジスタＱ１のベースとコレクタは接続されている。ＰＮＰ型トランジスタＱ２のエミッタと電源電圧Ｖｃｃの間には抵抗Ｒ２が接続されている。トランジスタＱ２のコレクタはＮＰＮ型トランジスタＱ４のコレクタとベースに接続されている。トランジスタＱ４のエミッタはグランドに接続されている。トランジスタＱ４のベースはＮＰＮ型トランジスタＱ５のベース及びＮチャネル型ＭＯＳトランジスタＱのドレインに接続されている。ＱのソースはＧＮＤに接続され、ゲートはコントローラ７に接続されている。Ｑ４、Ｑ５、Ｑで一時遮断回路を構成している。
【００３８】
トランジスタＱ１のベースとトランジスタＱ２のベースとＰＮＰ型トランジスタＱ３のベースは接続されている。この接続点とＧＮＤとの間には、接合容量や配線容量等の寄生容量２７が接続されてしまう。トランジスタＱ３のエミッタと電源電圧Ｖｃｃの間には抵抗Ｒ３が接続されている。トランジスタＱ３のコレクタはＮＰＮ型トランジスタＱ５のコレクタに接続されている。トランジスタＱ５のエミッタはグランドに接続されている。トランジスタＱ３のコレクタはＰＮＰ型トランジスタＱ６のエミッタに接続されている。トランジスタＱ６のベースは基準電圧ＶRに接続されている。トランジスタＱ６のコレクタはグランドに接続されている。トランジスタＱ６のエミッタ側Ａよりバイアス電圧ＶBが出力される。
【００３９】
電源投入時、電流源２０はＯＦＦしているが、カレントミラー回路を構成するトランジスタＱ１、Ｑ２、Ｑ３のベースに寄生する寄生容量に一瞬流入する充電電流Ｉｃがベース電流となってＰＮＰ型トランジスタＱ１、Ｑ２、Ｑ３が一瞬動作し、Ｉ3が瞬間的に流れる。しかし、この瞬時に電流Ｉ2も流れており、ＮＰＮ型トランジスタＱ４、Ｑ５も動作するため、トランジスタＱ５のコレクタが前記Ｉ3を全て吸収し、ＶB電位を低電位（≒ＧＮＤ）に安定させる。従って、前記Ｉ３が流れてもトランジスタＱ７は動作状態にならず、また、トランジスタＱ８も動作状態にならないためコントローラ７の状態が完全に立ち上がっているかどうかにかかわらず、出力端子２４、２５に望ましくない書き込み電流が流れない。したがって、磁気ディスク１にノイズが書き込まれてしまうことがない。
【００４０】
その後、しばらくすると、寄生容量２７にトランジスタＱ１〜Ｑ３のベースの電圧が高くなると、電流Ｉ3は小さくなる。同様に電流Ｉ2及びＩ4も小さくなる。そして、トランジスタＱ５の導通度が低くなり、コレクタ・エミッタ間のインピーダンスが大きくなる。そのため、Ａ点の電圧ＶBは次第に高くなる。そして、トランジスタＱ６のベースに与えられている基準電圧ＶRよりもＶBE（トランジスタＱ６のベース・エミッタ間の導通電圧）高くなったときにはトランジスタＱ６がＯＮするのでバイアス電圧ＶBはＶR＋ＶBEに安定に保たれる。その後、コントローラ７の出力が高レベルに設定されると、端子２１、２２が低レベルに固定されて非アクティブモードになるとともに、Ｑにより一時遮断回路の動作が停止される。
【００４１】
本実施形態の磁気記録装置によれば、電源をＯＮした時のような動作の過渡期では、たとえコントローラ７よりもバイアス回路２６が先に動作を開始したとしてもバイアス電圧ＶBが低電圧（グランド電圧）になるようになっているため、トランジスタＱ７、Ｑ１２が過渡的にＯＮすることはない。このように、バイアス回路２６はコントローラ７の動作の過渡期において電流Ｉ9又はＩ10を遮断する遮断回路となっているので、過渡期に磁気ディスク１にノイズが書き込まれることがない。
【００４２】
その後、磁気ディスク１にデータを書き込むときにはコントローラ７はローレベルの信号を出力して書き込み回路１２の書き込み動作可能なアクティブモードとする。そして、リードライトチャンネル回路６からの信号に応じて磁気ヘッド２に書き込み電流Ｉ7又はＩ8を供給し、磁気ディスク１にデータの書き込みを行う。
【００４３】
＜第２の実施形態＞
次に、本発明の第２の実施形態について説明する。図３は本発明の第２の実施形態である磁気記録装置の書き込み回路１２'の内部構成を示す回路図である。本実施形態の磁気記録装置の全体のブロック図は図１とほぼ同様である。図２の入力端子２１、２２に代えて入力端子３０〜３３が設けられ、入力端子３０、３１がＮＰＮ型トランジスタＱ２２、Ｑ２１のベースにそれぞれ接続され、Ｑ２１、Ｑ２２のエミッタがそれぞれ出力端子３５、３６とトランジスタＱ１７、Ｑ２０のコレクタに接続されている点が異なる。本実施形態の磁気ディスク１はハードディスクである。
【００４４】
非アクティブモードのときコントローラ７はハイレベルの信号を出力する。ＭＯＳトランジスタＱ１３、Ｑ１４がＯＮする。そのため、トランジスタＱ１６、Ｑ１９のベースは低電圧となるので、トランジスタＱ１６、Ｑ１９はＯＦＦする。これにより、トランジスタＱ１７、Ｑ２０のベースの電圧は低電圧となり、トランジスタＱ１７、Ｑ２０はＯＦＦする。したがって、トランジスタＱ１７、Ｑ２０がＯＦＦするので、磁気ヘッド２に電流が流れない。このように、コントローラ７がハイレベルの信号を出力したときには書き込み回路１２’は非アクティブモードとなり、磁気ヘッド２に電流を供給しない。
【００４５】
そして、アクティブモードのときにコントローラ７はローレベルの信号を出力する。これにより、ＭＯＳトランジスタＱ１３、Ｑ１４はＯＦＦする。これにより、書き込み回路は入力端子３０〜３３に入力される信号に応じて磁気ヘッド２に書き込み電流Ｉ9又はＩ10を出力する。入力端子３０、３２と入力端子３１、３３に入力される書き込み信号は連動し同時に切り替わる。すなわち、トランジスタＱ２１とＱ１７が同時にＯＮすることがなく、また、トランジスタＱ２２とＱ２０が同時にＯＮすることがないようになっている。
【００４６】
本実施形態の磁気記録装置によれば、電源をＯＮした時のような動作の過渡期では、たとえコントローラ７よりもバイアス回路２６が先に動作を開始したとしても上述のようにバイアス回路２６はコントローラ７が安定に動作するまでバイアス電圧ＶBを低電圧に保つようになっている。このとき、トランジスタＱ１５、Ｑ１８がＯＦＦする。そのため、トランジスタＱ１６のベースに接続されている点Ｃの電圧が低電圧になる。同様に、トランジスタＱ１９のベースに接続されている点Ｂの電圧も低電圧になる。このため、トランジスタＱ１６、Ｑ１９がＯＦＦとなり、トランジスタＱ１６のエミッタ側の点Ｄと、トランジスタＱ１９のエミッタ側の点Ｅはともに低電圧となる。そのため、トランジスタＱ１７、Ｑ２０はＯＦＦする。これにより、磁気ヘッド２に書き込み電流Ｉ9又はＩ10が流れることはない。
【００４７】
したがって、起動時にはコントローラ７が動作するよりもバイアス回路２６に電源電圧Ｖｃｃが与えられたとしても磁気ヘッド２に電流が流れ込まず、磁気ディスク１にノイズが書き込まれてしまうことがない。その後、安定に動作を開始したときにはコントローラ７はローレベルの信号を出力して書き込み回路１２’の書き込み動作可能なアクティブモードとなる。そして、リードライトチャンネル回路６からの書き込み信号に応じて磁気ヘッド２に電流を供給する。
【００４８】
【発明の効果】
以上説明したように、本発明の磁気記録装置によれば、電源投入時に一時遮断回路によって一時的に書き込み回路が不作動にされるので書き込み回路より磁気ヘッドに出力電流が流れて磁気ディスクに不要なノイズが書き込まれてしまうことがない。
【００４９】
また、請求項２及び請求項３に記載の磁気記録装置によれば、電源投入時に一時的に書き込み回路を不作動とするのに第１トランジスタのベース側の寄生容量を充電することに起因して発生する不要電流をＱ５を用いて吸収するようにしたので、電源投入時のバイアス回路の動作を特定するのに好都合である。
【００５０】
また、請求項４に記載の磁気記録装置によれば、電源投入後に所定期間を経て書き込みトランジスタをＯＮ／ＯＦＦ制御することにより書き込み回路を非アクティブモードと書き込みモードを実現することができる。
【図面の簡単な説明】
【図１】  本発明の第１の実施形態の磁気記録装置のブロック図。
【図２】  その磁気記録装置の書き込み回路の回路図。
【図３】  本発明の第２の実施形態の磁気記録装置の書き込み回路の回路図。
【図４】  従来の磁気記録装置の書き込み回路の回路図。
【図５】  その磁気記録装置の電流源回路４２の回路図。
【符号の説明】
１    磁気ディスク
２    磁気ヘッド
３    スピンドルモータ
４    ボイスコントロールモータ
５    リードライトプリアンプ
６    リードライトチャンネル回路
７    コントローラ
８    ドライバ
９    インターフェース
１０    パーソナルコンピュータ
１１    読み出し回路
１２    書き込み回路
１３    デジタル信号処理プロセッサ
１４    フラッシュメモリ
１５    サーボコントローラ
２１、２２    入力端子
２３    定電流源回路
２４、２５    出力端子
２６    バイアス回路
２７    寄生容量
３０    第２入力端子
３１    第１入力端子
３２    第４入力端子
３３    第３入力端子
Ｑ１〜Ｑ３    ＰＮＰ型トランジスタ
Ｑ４、Ｑ５    ＮＰＮ型トランジスタ
Ｑ６    ＰＮＰ型トランジスタ
Ｑ７〜Ｑ１２    ＮＰＮ型トランジスタ
Ｑ１３、Ｑ１４    Ｎチャネル型ＭＯＳトランジスタ
Ｑ１７    第２ＮＰＮ型トランジスタ
Ｑ２０    第４ＮＰＮ型トランジスタ
Ｑ２１    第１ＮＰＮ型トランジスタ
Ｑ２２    第３ＮＰＮ型トランジスタ
Ｒ１〜Ｒ１５    抵抗
ＶB    バイアス電圧
Ｖｃｃ    電源電圧
ＶR    基準電圧
【図１】
0003778700.tif 000002
【図２】
0003778700.tif 000003
【図３】
0003778700.tif 000004
【図４】
0003778700.tif 000005
【図５】
0003778700.tif 000006